(57)【要約】【課題】  載置した造形物を照らしたり、それ自体が装飾用照明器具としても機能するための造形物の置き台において多様な造形物に対応できるようにする。【解決手段】  相互に積み重ね可能な少なくとも２つの筐体状のユニットを有し、その内の一つの発光ユニットＵ１は内部に光源６を有するとともに上面に光源からの光を外部に射出するための発光窓４を有した構成とし、他方の拡散ユニットＵ２は下端を開放した筒状にして、上面に光拡散性に富んだ透光性素材からなるライトカバー２２を有した構成とする。【選択図】      図１
2014151591.tif 000002
【特許請求の範囲】
【請求項１】
相互に積み重ね可能な少なくとも２つの筐体状のユニットを有し、その内の一つの発光ユニットは内部に光源を有するとともに上面に光源からの光を外部に射出するための発光窓を有した構成よりなり、他方の拡散ユニットは下端を開放した筒状にして、上面に光拡散性に富んだ透光性素材からなるライトカバーを有することを特徴とする造形物の置き台。
【請求項２】
発光ユニットは天板に設けた発光窓を透光性素材からなるライトカバーで覆うとともに、ライトカバーの直下にＬＥＤ光源を配した請求項１記載の造形物の置き台。
【請求項３】
各ユニットの上下端にそれぞれの積み重ね時に互いに係合するための係合部を設けた請求項１または２記載の造形物の置き台。
【請求項４】
ライトカバーをもって、拡散ユニットの上面全体を覆う天板とした請求項１から３のいずれかに記載の造形物の置き台。
【請求項５】
拡散ユニットのライトカバーは天板の一部に設けられる請求項１から３のいずれかに記載の造形物の置き台。
【発明の詳細な説明】
【技術分野】
【０００１】
この発明は載置した造形物を照らしたり、それ自体が装飾用照明器具としても機能するための造形物の置き台に関する。
【背景技術】
【０００２】
内部に光源を有し、光源からの光を外部に射出するための発光窓を上面に有した構成からなり、載置した造形物を照らすための置き台が公知である（特許文献１〜３）。
【０００３】
造形物としては置台からの光の反射により照らされる不透明素材からなるものも想定できるが、透光性のある例えばアクリルやレジンなどの樹脂素材やガラスにより成型されたものは、内部に光が導入されることによりそれ自体が発光するので、より美しく照明されることとなる。
【先行技術文献】
【特許文献】
【０００４】
【特許文献１】特開２００３−１１５９８号公報
【特許文献２】特開２００９−２３３２８号公報
【特許文献３】実用新案登録第３１２９１０２号公報
【発明の開示】
【発明が解決しようとする課題】
【０００５】
いうまでもなく、造形物には多様なものがあり、また、その大きさも様々である。よって、それぞれに応じた照明方法が必要となる。発光窓は造形物の大きさに相応しいことが望ましく、造形物に対し発光窓が大きすぎると発光窓からの直接光が目に入って造形物の照明効果を損ない、逆に発光窓が小さすぎると光が造形物に充分導入されずやはり造形物の照明効果を損なうこととなる。また、造形物の透明度合いにより、直接光により照射されることが望ましい場合や逆に拡散した淡い光により照明されることが望ましい場合がある。
【０００６】
これに対し、前記の従来技術の置き台は発光窓の大きさや、照射光の種類は一律であり、多様な造形物に対応できない問題があった。
【０００７】
また、光源にＬＥＤを使用した場合、ＬＥＤ素子を間隔をおいて実装することにより光源とするが、実装されたＬＥＤ素子間には暗部が存するので、点在するＬＥＤ素子光により光のリップルが生じ、特に造形物が透明な場合はこのリップルにより面状の発光が阻害された。
【課題を解決するための手段】
【０００８】
この発明の置き台は以上の問題点に鑑みて創作されたものであり、相互に積み重ね可能な少なくとも２つの筐体状のユニットを有し、その内の一つの発光ユニットは内部に光源を有するとともに上面に光源からの光を外部に射出するための発光窓を有した構成よりなり、他方の拡散ユニットは下端を開放した筒状にして、上面には光拡散性に富んだ透光性素材からなる天板を有することを特徴とする
【０００９】
また、請求項２記載の置き台は、前記の置き台において、発光ユニットは天板に設けた発光窓を透光性素材からなるライトカバーで覆うとともに、ライトカバーの直下にＬＥＤ光源を配したことを特徴とする。
【００１０】
また、請求項３記載の置き台は、前記の置き台において、各ユニットの上下端にそれぞれの積み重ね時に互いに係合するための係合部を設けたことを特徴とする。  
【００１１】
また、請求項４記載の置き台は、前記の置き台において、ライトカバーをもって、拡散ユニットの上面全体を覆う天板としたことを特徴とする。
【００１２】
また、請求項５記載の置き台は、前記の置き台において、拡散ユニットのライトカバーは天板の一部に設けられることを特徴とする。
【発明の効果】
【００１３】
以上の構成よりなるこの発明の置き台によれば、置き台を相互に積み重ね可能なユニットにより構成しているので、ユニットの選択や積み重ね方により多様な造形物に対応した使い方が可能となる。
【００１４】
すなわち、図５に示すように発光ユニットＵ１を上方に位置させ、その上面を造形物Ｓ１の載置面として使用する場合は、発光窓の上に載せた造形物に直接光を導入することが可能となる。この使用態様は、透光性は有するが不透明な素材からなる造形物の照明に最適であり、発光窓自体は造形物により覆われるので発光窓からの直接光が目に入って造形物の照明効果を損なうことがない。また、この場合、拡散ユニットＵ２上に発光ユニットＵ１を積み重ねたり、あるいは発光ユニットを単独で使用することにより、造形物に応じて置き台の高さを調整することが可能となる。
【００１５】
一方、図６に示すように発光ユニットＵ１の上に拡散ユニットＵ２を重ね、その上面を造形物Ｓ２の載置面として利用する場合は、発光ユニットＵ１の発光窓からの光は下端を開放した拡散ユニットＵ２内から光拡散性に富んだ透光性素材から構成されるライトカバーに導入され、ライトカバー全体が柔らかい光で発光することとなる。請求項４に記載の発明のようにライトカバーをもって、拡散ユニットの上面全体を覆う天板とした場合は、発光面積が天板全体に拡大され、しかもＬＥＤ素子光による光のリップルが生じることなく全体が均一に発光するので、天板全体を覆うような大きさの透明な素材からなる造形物の照明に最適となる。
【００１６】
また、照明する対象は造形物に限らず食器やアクセサリーなども想定でき、発光ユニットＵ１からの直接光と、拡散ユニットＵ２からのソフトな光を使い分けることにより多様な照明を実現することができる。
【００１７】
また、造形物を載置しないで、置き台を単独で装飾用照明器具として使用してもよく、発光ユニットＵ１を上方に位置させればシャープな直接光を発する装飾用照明器具として、拡散ユニットＵ２を上方に位置させれば発光面積が大きくソフトな光を発する装飾用照明器具として二通りに使用することができる。
【図面の簡単な説明】
【００１８】
【図１】この発明の造形物の置き台の各ユニットを分離した状態の斜視図。
【図２】この発明の造形物の置き台の各ユニットを分離した状態の内部機構を一部省略した状態の断面図。
【図３】この発明の造形物の置き台の発光ユニットの上に拡散ユニットを重ねた状態の斜視図。
【図４】この発明の造形物の置き台の拡散ユニットの上に発光ユニットを重ねた状態の斜視図。
【図５】この発明の造形物の置き台の使用態様を示す斜視図。
【図６】この発明の造形物の置き台の使用態様を示す斜視図。
【発明を実施するための最良の形態】
【００１９】
以下、この発明の具体的実施例を添付図面に基づいて説明する。図１はこの発明の造形物の置き台の各ユニットを分離した状態を示す図である。この置き台は相互に積み重ね可能な少なくとも２つの筐体状のユニットを有する。これらのユニットとして、この実施例では平面矩形のキューブ状のものを図示しているが、形状はこれに限られず例えば平面円形のものや多角形のものであってもよいことはもちろんである。
【００２０】
図中符号Ｕ１はその内の一つの発光ユニットである。この発光ユニットはＵ１は内部に光源を有するとともに上面に光源からの光を外部に射出するための発光窓４を有する。この実施例では光源として複数のＬＥＤ６を使用しており、発光窓４の直下にこれらのＬＥＤ６が位置するように、基台７の上に設けたＬＥＤ基板８上に複数のＬＥＤ６を円周状に分散して配している。この場合、ＬＥＤ基板８に光の反射性を持たせるためにＬＥＤ基板を反射性の高い素材で構成したり、表面に反射素材を塗布してもよい。発光窓４は発光ユニットＵ１の天板２に開口された円形のものであり、透光性素材からなるライトカバー５により覆われる。このライトカバー５は透光性を有するものであれば透明でも不透明であってもよい。前記ＬＥＤ６は発光ユニットＵ１内に収容された駆動回路（図示せず）により調光可能に駆動される。図中符号９は調光摘みである。この実施例は電源端子１０により外部から電力を供給しているが、電源を内部に設けてもよいことはもちろんである。
【００２１】
図中符号Ｕ２は前記の発光ユニットＵ１と組み合わせて使用される拡散ユニットである。この拡散ユニットＵ２は下端を開放した筒状に構成され、上面を光拡散性に富んだ透光性素材からなるライトカバー２２で覆っている。このライトカバー２２として、この実施例では表面を凹凸状の光散乱面に加工した不透明で透光性を有する樹脂素材を採用しているが、光拡散性に富んだ透光性素材であればこれに限られないことはもちろんである。また、ここではライトカバー２２をもって、拡散ユニットＵ２の上面全体を覆う天板としているが、ライトカバーを天板の一部に設けるようにしてもよい（図示せず）。なお、この実施例においては拡散ユニットＵ２は発光ユニットＵ１に対し一つを組み合わせているが、一つの発光ユニットＵ１に対し複数の拡散ユニットＵ２を組み合わせてもよいことはもちろんである。
【００２２】
以上の発光ユニットＵ１および拡散ユニットＵ２は相互に積み重ね自在とされるが、この実施例では各ユニットの上下端にそれぞれの積み重ね時に互いに係合するための係合部を設けることにより、横ずれを防止している。すなわち、発光ユニットＵ１の上面において四周の側壁端を環状凸部３とし、下面において四周の側壁端を環状凹部１１とすることにより係合部とし、拡散ユニットＵ２の上面において四周の側壁端を環状凸部２３とし、下面において四周の側壁端を環状凹部２１とすることにより係合部とし、積み重ねに際し各ユニット同士の環状凹部と環状凸部とを係合する。
【００２３】
図５および６はこの発明の造形物の置き台の使用方法を示す図である。図５は発光ユニットＵ１を上方に位置させ、その上面を造形物Ｓ１の載置面として使用する場合を示す図である。この場合は発光窓４の上に載せた造形物Ｓ１に直接光を導入することが可能となる。ここでは、造形物Ｓ１として透光性は有するが不透明なアクリル樹脂により制作した花びらの造形物を例にとっている。この場合、図のように拡散ユニットＵ２上に発光ユニットＵ１を積み重ねる他、発光ユニットを単独で使用することにより、造形物に応じて置き台の高さを調整することが可能となる。
【００２４】
図６は発光ユニットＵ１の上に拡散ユニットＵ２を重ね、その上面を造形物Ｓ２の載置面として使用する場合を示す図である。この場合は、発光ユニットＵ１の発光窓４からの光は下端を開放した拡散ユニットＵ２内から光拡散性に富んだ透光性素材から構成されるライトカバー２２に導入され、ライトカバー全体が柔らかい光で発光することとなる。ここでは、造形物Ｓ２として、例えばレジン等の透明樹脂のキューブ内に花びらの造形物を封じ込めた造形物を例にとっている。この種の造形物の場合は本体が透明であることから、全面に均一な光が導入されないと十分な照明効果が得られないので、発光面積が天板全体に拡大され、しかもＬＥＤ素子光による光のリップルが生じることなく全体が均一に発光するこの使用方法が適している。
【符号の説明】
【００２５】
Ｕ１                発光ユニット
４                  発光窓
６                  ＬＥＤ
Ｕ２                拡散ユニット
２２                ライトカバー
【図１】
2014151591.tif 000003
【図２】
2014151591.tif 000004
【図３】
2014151591.tif 000005
【図４】
2014151591.tif 000006
【図５】
2014151591.tif 000007
【図６】
2014151591.tif 000008